(57)【要約】      （修正有）【課題】発光色の異なるＬＥＤを１つの定電流電源で駆動することを可能とするＬＥＤ照明灯を提供する。【解決手段】正極側母線となる配線パターン６０と負極側母線となる配線パターン６２の間に互いに並列に接続される複数の発光部であって、少なくとも１つの発光部は他の発光部の発光色と異なる発光色を有する。各発光部は、配線パターン６０と配線パターン６２の間に配置され互いに直列接続される赤色発光ＬＥＤ５０または白色発光ＬＥＤ５２を有する。赤色発光ＬＥＤ５０を有する発光部のＬＥＤの数は、白色発光ＬＥＤ５２を有する発光部のＬＥＤの数と異なる。また、ＬＥＤの数を同じにして、発光色によって異なる発光のための最適端子間電圧の相違をツェナーダイオードで補ってもよい。【選択図】図３
0003186482.tif 000002
【実用新案登録請求の範囲】
【請求項１】
定電流直流電源の正極端子と負極端子にそれぞれ接続される正極側母線と負極側母線と、
正極側母線と負極側母線の間に互いに並列に接続される複数の発光部であって、少なくとも１つの発光部は他の発光部の発光色と異なる発光色を有する複数の発光部と、
を含み、
各発光部は、正極側母線と負極側母線の間に配置され互いに直列接続される複数のＬＥＤを有し、
他の発光部の発光色と異なる発光色を有する発光部において正極側母線と負極側母線の間に配置されるＬＥＤの数は、他の発光部において正極側母線と負極側母線の間に配置されるＬＥＤの数と異なることを特徴とするＬＥＤ照明灯。
【請求項２】
請求項１に記載のＬＥＤ照明灯において、
他の発光部の発光色と異なる発光色を有する発光部について直列接続された複数のＬＥＤの最適端子間電圧の和と、他の発光部について直列接続された複数のＬＥＤの最適端子間電圧の和が同じとなるように、各発光部のＬＥＤの数を設定することを特徴とするＬＥＤ照明灯。
【請求項３】
請求項２に記載のＬＥＤ照明灯において、
長手方向に延びるＬＥＤ配置基板を有し、
各発光部は、ＬＥＤ配置基板の長手方向に沿って一列に順次配置され、
各発光部を構成する複数のＬＥＤは、ＬＥＤ配置基板の長手方向に沿って１つずつ一列に順次配置されることを特徴とするＬＥＤ照明灯。
【請求項４】
定電流直流電源の正極端子と負極端子にそれぞれ接続される正極側母線と負極側母線と、
正極側母線と負極側母線の間に互いに並列に接続される複数の発光部であって、少なくとも１つの発光部は他の発光部の発光色と異なる発光色を有する複数の発光部と、
を含み、
各発光部は、正極側母線と負極側母線の間に配置され互いに直列接続される同じ数の複数のＬＥＤを有し、
他の発光部の発光色と異なる発光色を有する発光部は、正極側母線と負極側母線の間に互いに直列接続される複数のＬＥＤと直列に非発光性ダイオードが接続されることを特徴とするＬＥＤ照明灯。
【請求項５】
請求項４に記載のＬＥＤ照明灯において、
他の発光部の発光色と異なる発光色を有する発光部について直列接続された複数のＬＥＤの最適端子間電圧の和と、他の発光部について直列接続された複数のＬＥＤの最適端子間電圧の和との差の電圧に、非発光性ダイオードの電流立上り閾値電圧が設定されることを特徴とするＬＥＤ照明灯。
【請求項６】
請求項４に記載のＬＥＤ照明灯において、
長手方向に延びるＬＥＤ配置基板を有し、
各発光部は、ＬＥＤ配置基板の長手方向に沿って一列に順次配置され、
各発光部を構成する複数のＬＥＤは、ＬＥＤ配置基板の長手方向に沿って１つずつ一列に順次配置されることを特徴とするＬＥＤ照明灯。
【考案の詳細な説明】
【技術分野】
【０００１】
本考案は、発光素子としてＬＥＤ（Ｌｉｇｈｔ  Ｅｍｉｓｓｉｏｎ  Ｄｉｏｄｅ）を用いるＬＥＤ照明灯に係り、特に、発光色の異なるＬＥＤを含むＬＥＤ照明灯に関する。
【背景技術】
【０００２】
特許文献１には、照明用発光ダイオード駆動回路として、従来から、駆動用直流電源からの供給電圧をＬＥＤの最大端子間電圧で除した数以下でＬＥＤを直列駆動することが電源効率を最大とする方法として知られていることが述べられている。そして、ＬＥＤの光度はＬＥＤに流す電流に比例し、ある電流以上で飽和になるので、その電流近辺で駆動する定電流方式が用いられるが、そのときのＬＥＤの端子間電圧は、ＬＥＤの種類、発光色によって大幅に異なると述べられている。
【先行技術文献】
【特許文献】
【０００３】
【特許文献１】特開２００５−１５８４３８号公報
【考案の概要】
【考案が解決しようとする課題】
【０００４】
複数のＬＥＤを並列接続しても各ＬＥＤの発光色が同じであれば、それらの最適端子間電圧は同じであるので、これらを１つの定電流源で駆動することができる。しかし、発光色の異なるＬＥＤの最適端子間電圧は発光色毎に異なるので、これらを１つの定電流源で駆動することができない。
【０００５】
本考案の目的は、発光色の異なるＬＥＤを１つの定電流電源で駆動することを可能とするＬＥＤ照明灯を提供することである。
【課題を解決するための手段】
【０００６】
本考案に係るＬＥＤ照明灯は、定電流直流電源の正極端子と負極端子にそれぞれ接続される正極側母線と負極側母線と、正極側母線と負極側母線の間に互いに並列に接続される複数の発光部であって、少なくとも１つの発光部は他の発光部の発光色と異なる発光色を有する複数の発光部と、を含み、各発光部は、正極側母線と負極側母線の間に配置され互いに直列接続される複数のＬＥＤを有し、他の発光部の発光色と異なる発光色を有する発光部において正極側母線と負極側母線の間に配置されるＬＥＤの数は、他の発光部において正極側母線と負極側母線の間に配置されるＬＥＤの数と異なることを特徴とする。
【０００７】
本考案に係るＬＥＤ照明灯において、他の発光部の発光色と異なる発光色を有する発光部について直列接続された複数のＬＥＤの最適端子間電圧の和と、他の発光部について直列接続された複数のＬＥＤの最適端子間電圧の和が同じとなるように、各発光部のＬＥＤの数を設定することが好ましい。
【０００８】
本考案に係るＬＥＤ照明灯において、長手方向に延びるＬＥＤ配置基板を有し、各発光部は、ＬＥＤ配置基板の長手方向に沿って一列に順次配置され、各発光部を構成する複数のＬＥＤは、ＬＥＤ配置基板の長手方向に沿って１つずつ一列に順次配置されることが好ましい。
【０００９】
また、本考案に係るＬＥＤ照明灯は、定電流直流電源の正極端子と負極端子にそれぞれ接続される正極側母線と負極側母線と、正極側母線と負極側母線の間に互いに並列に接続される複数の発光部であって、少なくとも１つの発光部は他の発光部の発光色と異なる発光色を有する複数の発光部と、を含み、各発光部は、正極側母線と負極側母線の間に配置され互いに直列接続される同じ数の複数のＬＥＤを有し、他の発光部の発光色と異なる発光色を有する発光部は、正極側母線と負極側母線の間に互いに直列接続される複数のＬＥＤと直列に非発光性ダイオードが接続されることを特徴とする。
【００１０】
また、本考案に係るＬＥＤ照明灯において、他の発光部の発光色と異なる発光色を有する発光部について直列接続された複数のＬＥＤの最適端子間電圧の和と、他の発光部について直列接続された複数のＬＥＤの最適端子間電圧の和との差の電圧に、非発光性ダイオードの電流立上り閾値電圧が設定されることが好ましい。
【００１１】
また、本考案に係るＬＥＤ照明灯において、長手方向に延びるＬＥＤ配置基板を有し、各発光部は、ＬＥＤ配置基板の長手方向に沿って一列に順次配置され、各発光部を構成する複数のＬＥＤは、ＬＥＤ配置基板の長手方向に沿って１つずつ一列に順次配置されることが好ましい。
【考案の効果】
【００１２】
上記構成の少なくとも１つにより、発光色の異なるＬＥＤの最適端子間電圧が発光色毎に異なっても、各発光色の発光部において直列接続されるＬＥＤの数を異ならせる。これにより、発光色の異なるＬＥＤを１つの定電流電源で駆動することが可能となる。
【００１３】
例えば、ある発光色の直列接続された複数のＬＥＤの最適端子間電圧の和と、他の発光色の直列接続された複数のＬＥＤの最適端子間電圧の和が同じとなるように、各発光部のＬＥＤの数を設定することで、各発光色のＬＥＤについて最適端子間電圧とすることができる。
【００１４】
また、上記構成の少なくとも１つにより、発光色の異なるＬＥＤの最適端子間電圧が発光色毎に異なっても、各発光色の発光部において直列接続されるＬＥＤの数を同じとして、他の発光部の発光色と異なる発光色を有する発光部について、直列接続された複数のＬＥＤに非発光性のダイオードを直列に接続する。これにより、発光色の異なるＬＥＤを１つの定電流電源で駆動することが可能となる。
【００１５】
例えば、他の発光部の発光色と異なる発光色を有する発光部について直列接続された複数のＬＥＤの最適端子間電圧の和と、他の発光部について直列接続された複数のＬＥＤの最適端子間電圧の和との差の電圧に、非発光性ダイオードの電流立上り閾値電圧を設定する。これによって、各発光色のＬＥＤについて最適端子間電圧とすることができる。
【００１６】
また、ＬＥＤ照明灯において、ＬＥＤ配置基板を長手方向に延びるものとし、この長手方向に沿ってＬＥＤを１つずつ一列に順次配置するので、細長い照明灯の長手方向に沿って発光色を異ならせることができる。例えば、白色の長発光管の下部または上部を赤く発色し、あるいは青く発光させることができる。これにより注意を引くことができるので、常夜灯や防犯灯等に用いることが考えられる。
【図面の簡単な説明】
【００１７】
【図１】本考案に係る実施の形態におけるＬＥＤ照明灯の斜視図である。
【図２】本考案に係る実施の形態におけるＬＥＤ照明灯の分解図である。（ａ）はケース体、（ｂ）は基板取付台、（ｃ）は発光灯部、（ｄ）はカバーである。
【図３】本考案に係る実施の形態におけるＬＥＤ配置基板の例を示す図である。
【図４】図３におけるＬＥＤ接続図である。
【図５】図３とは別のＬＥＤ接続図である。
【図６】図５に用いられるＬＥＤ配置基板の例を示す図である。
【考案を実施するための形態】
【００１８】
以下に図面を用いて本考案に係る実施の形態を詳細に説明する。以下では、発光管として従来の蛍光管のように長手管を述べるが、これは説明のための例示であって、長手管以外の形状を有するものであってもよい。例えば、円環状の発光管であってもよく、バルブ形状の発光管であってもよい。また、発光管として白色発光部、赤色発光部、青色発光部を有するものを述べるが、これは説明のための例示であり、これ以外の発光色の発光部を有するものとしてもよい。また、複数の発光部の配置について、長手管の一方側に１つの発光色を有する発光部、他方側に他の発光色を有する発光部とする例を述べるが、発光色の異なる複数の発光部の配置は、これ以外であってもよい。例えば、長手管の中央部に１つの発光色を有する発光部、その両側に他の発光色を有する発光部を配置するものであってもよい。
【００１９】
以下で述べる形状、寸法、材質等は説明のための一例であって、ＬＥＤ照明灯の仕様に応じて適宜変更が可能である。以下では、全ての図面において同様の要素には同一の符号を付し、重複する説明を省略する。
【００２０】
図１は、ＬＥＤ照明灯１０の全体を示す斜視図である。ＬＥＤ照明灯１０は、従来の蛍光管を用いた照明灯と同じように用いることができるように、発光体として複数の発光素子を長手方向に配置したものである。発光素子としては、明るさに対する消費電力が少なく、耐久性のよいＬＥＤが用いられる。
【００２１】
ＬＥＤ照明灯１０は、全体の外形を形作る筐体１２と、カバー１４と、筐体１２とカバー１４とを一体化するバックル１６を有する。筐体１２とカバー１４とで形成される内部空間には、中板１８と、発光管２０が収容される。発光管２０には、複数のＬＥＤが配列される。発光管２０は、１つの赤色発光部１３と６つの白色発光部１５とを有する。ここで、赤色発光部１３は、赤色発光ＬＥＤを８個直列接続して構成され、１つの白色発光部１５は、白色発光ＬＥＤを６個直列接続して構成される。
【００２２】
図２は、ＬＥＤ照明灯１０の分解図である。（ａ）は筐体１２の斜視図で、（ｂ）は中板１８の斜視図、（ｃ）は発光管２０の斜視図、（ｄ）はカバー１４の斜視図である。
【００２３】
筐体１２は、上側に開口のある細長い皿状の形状を有する。開口の周囲に形成される長方形環状の段差２１は、中板１８の下側外周縁を支持する支持段差である。皿状の窪み空間に設けられるネジ穴付取付台２２は、中板１８の底面部を支え、締結用ネジで筐体１２に取り付ける台である。皿状の窪み空間に配置されるコード支持部２４は、中板１８の裏面側に配置される配線コードを束ねる支持枠である。かかる筐体１２は、適当な樹脂材料を用いて所定の形状に成形されたものが用いられる。ネジ穴付取付台２２とコード支持部２４は、筐体１２と一体化されて樹脂成形される。ネジ穴付取付台２２、コード支持部２４を独立の部品として成形し、これを筐体１２に取り付け固定してもよい。
【００２４】
筐体１２の長手方向の一方端の壁部に設けられる内部コンセント２６は、電源線２７を介して、筐体１２の外側の外部コンセント２８に接続される外部電源接続口である。外部コンセント２８は、図示されていない外部電源供給口に接続されて、電源線２７を介して内部コンセント２６に外部電源２９からの電力を供給する機能を有する電源供給コンセントである。外部電源２９としては、ＡＣ１００Ｖの商用電源が用いられる。例えば、家庭やオフィスの電源コンセントに外部コンセント２８が挿入され、これによって、電源線２７を介して、筐体１２の内部コンセント２６は、ＡＣ１００Ｖの商用電源に接続される。外部電源２９としては、ＡＣ１００Ｖの商用電源以外であってもよい。例えば、高圧直流電源であってもよく、三相交流電源であってもよい。
【００２５】
中板１８は、適当な強度を有する細長い板材である。中板１８の外形は、その外周縁が筐体１２の長方形環状の段差２１に嵌め込むことができるように設定される。中板１８の底面に設けられる電源アダプタ３０は、ＡＣ１００ＶをＤＣ１８Ｖの定電流電源に変換するＤＣ／ＤＣコンバータを内蔵する交直変換装置である。ＤＣ１８Ｖは、発光管２０に供給される最適電圧に設定され、定電流値は、発光素子であるＬＥＤの発光に最適な値に設定される。したがって、発光管２０の仕様によって、１８Ｖの値、定電流値は、適宜変更される。
【００２６】
電源アダプタ３０は、入力配線コードと出力配線コードを有する。入力配線コードは、２本で、それぞれの一方端は、筐体１２の内部コンセントの２端子にそれぞれ接続される２つの接続部を有し、他方端は、電源アダプタ３０のＤＣ／ＤＣコンバータの２つの入力電源端子に接続される。出力配線コードは、+１８Ｖの正極母線と接地電位の負極母線の２本である。正極母線の一方端は、電源アダプタ３０のＤＣ／ＤＣコンバータ経由の定電流回路のプラス出力端子に接続され、他方端は、中板１８の上面に設けられる発光管コンセント３２に接続される。負極母線の一方端はＤＣ／ＤＣコンバータ経由の定電流回路のＧＮＤ端子に接続され、他方端は、中板１８の上面に設けられる発光管コンセント３４に接続される。
【００２７】
かかる電源アダプタ３０は、ＡＣ１００ＶとＤＣ１８Ｖの変換機能と定電流出力機能を有する市販品が用いられる。入力配線コードと出力配線コードは、適当に束ねられ、中板１８を筐体１２に組付ける際に、図２（ａ）のコード支持部２４によって束ねて支持される。
【００２８】
中板１８の上面に設けられる発光管コンセント３２，３４は、発光管２０の長手方向の両端部に設けられる差し込み端子４２，４４（図２（ｃ）参照）が嵌め込まれる嵌め込み孔を有する２つのコンセントである。発光管コンセント３２の嵌め込み孔には導体部が設けられ、その導体部は、電源アダプタ３０の出力配線コードの正極母線の他方端に接続される。発光管コンセント３４の嵌め込み孔にも導体部が設けられ、その導体部は、電源アダプタ３０の出力配線コードの負極母線の他方端に接続される。
【００２９】
中板１８は、底面に電源アダプタ３０を取り付けるアダプタ取付部を有し、上面に発光管コンセント３２，３４を取り付けるコンセント取付部を有する。アダプタ取付部としては、適当な取付金具が用いられる。コンセント取付部としては、発光管コンセント３２，３４をそれぞれ嵌め込むことで固定することができる取付穴が用いられる。かかる中板１８は、適当な強度を有する金属平板を所定の形状を有するように板金加工またはプレス抜き加工したものが用いられる。金属平板の材質は、鉄、アルミニウム等を用いることができる。金属平板の表面は、絶縁処理することが好ましい。絶縁処理としては絶縁塗装を用いることができる。
【００３０】
発光管２０は、従来の蛍光灯における蛍光管に対応し、長手方向に細長く延びる形状を有する。発光管２０は、細長い管部４０と、管部４０の長手方向の両端部にそれぞれ設けられる差し込み端子４２，４４と、管部４０に配置され長手方向に沿って細長く延びるＬＥＤ配置基板４６と、ＬＥＤ配置基板４６に配置される複数の赤色発光ＬＥＤ５０と、複数の白色発光ＬＥＤ５２を含んで構成される。
【００３１】
管部４０は、従来の蛍光管と異なり、半円筒形の細長い部材で、底面が円筒形で、上面は平坦面である。かかる管部４０は、適当な樹脂材料を用いて所定の形状に成形されたものが用いられる。
【００３２】
管部４０の長手方向の両端部にそれぞれ設けられる差し込み端子４２，４４は、適当な電源線によって、ＬＥＤ配置基板４６の正極側配線と負極側配線にそれぞれ接続される。ここで、差し込み端子４２は、中板１８の発光管コンセント３２を介して電源アダプタ３０の出力配線コードの正極母線に接続されるので、ＬＥＤ配置基板４６の正極側配線に接続される。また、差し込み端子４２は、中板１８の発光管コンセント３４を介して電源アダプタ３０の出力配線コードの負極母線に接続されるので、ＬＥＤ配置基板４６の負極側配線に接続される。
【００３３】
ＬＥＤ配置基板４６は、複数のＬＥＤが配置される配線パターンを有する回路基板である。ＬＥＤ配置基板４６には、その長手方向に沿って、複数のＬＥＤが１つずつ一列に順次配置される。複数のＬＥＤの数は、４４個で、そのうちの８個は、１つの赤色発光部１３を構成する赤色発光ＬＥＤ５０で、３６個は、６つの白色発光部１５を構成する白色発光ＬＥＤ５２である。赤色発光部１３を構成する８個の赤色発光ＬＥＤ５０は互いに直列接続されて発光管２０の差し込み端子４２側に配置される。６つの白色発光部１５は互いに並列接続され、各白色発光部１５は、６個の白色発光ＬＥＤ５２が互いに直列接続される。そして、６つの白色発光部１５は、赤色発光部１３よりは差し込み端子４４の側に配置される。複数のＬＥＤが配置されるＬＥＤ配置基板４６の詳細と、その回路構成については図３、図４を用いて後述する。
【００３４】
カバー１４は、透明または白色半透明のプラスチック材料で構成され、下側に開口のある細長い皿状の形状を有する。カバー１４の底面の長方形環状の縁部は、中板１８の上面に突き当てられ、中板１８の上面とカバー１４とで形成される内部空間が、発光管２０の収容空間となる。カバー１４は、発光管２０を保護する機能と共に、発光管２０からの発光を外部に向かって放射させて照明する機能を有する。カバー１４は、図１に示すように、バックル１６によって筐体１２にしっかりと固定される。
【００３５】
次に、図３、図４を用いて、複数のＬＥＤが配置されたＬＥＤ配置基板４６の詳細と、その回路構成について説明する。図３（ａ）は、８個の赤色発光ＬＥＤ５０と、３６個の白色発光ＬＥＤ５２が配置された状態のＬＥＤ配置基板４６を示す平面図で、図３（ｂ）は赤色発光ＬＥＤ５０を示す図、図３（ｃ）は白色発光ＬＥＤ５２を示す図である。
【００３６】
ＬＥＤ配置基板４６は、細長い配線基板で、正極側母線用の配線パターン６０と、負極側母線用の配線パターン６２と、配線パターン６０と配線パターン６２の間に電気的に分離された複数の中間配線パターン６４を有する。中間配線パターン６４は、配線パターン６０と配線パターン６２の間に、所定数のＬＥＤを直列接続して配置するために用いられるもので、隣接する配線パターン６２の間にそれぞれＬＥＤが１つずつ接続配置される。
【００３７】
図３（ａ）の場合、８つの赤色発光ＬＥＤ５０を、配線パターン６０と配線パターン６２の間に直列接続するために、７個の中間配線パターン６４が用いられる。また、３６個の白色発光ＬＥＤ５２は、６個の白色発光ＬＥＤ５２ずつに分けられて６つの白色発光部１５を構成し、この６つの白色発光部１５のそれぞれが配線パターン６０と配線パターン６２の間に、互いに並列接続される。そして、１つの白色発光部１５では、６個の白色発光ＬＥＤ５２を、配線パターン６０と配線パターン６２の間に直列接続するために、５個の中間配線パターン６４が用いられる。なお、図３（ａ）では、白色発光ＬＥＤ５２のための中間配線パターン６４の一部の図示を省略した。かかるＬＥＤ配置基板４６は、絶縁樹脂基板に所定の形状の導体パターンが形成された配線基板が用いられる。
【００３８】
赤色発光ＬＥＤ５０は、赤色発光素子７０と、赤色発光素子７０が搭載される搭載小基板７２と、搭載小基板７２に設けられる赤色発光素子７０の２つの端子部７４と、赤色発光素子７０の発光面に設けられるレンズ部７６を含んで構成される。赤色発光素子７０は、赤色発光のための最適端子間電圧がＶRの発光ＬＥＤチップである。搭載小基板７２は、その上面に２つの互いに分離した配線パッドを有し、１つの配線パッドに赤色発光素子７０の底面側を電気的に接続しながら機械的に固定して一方側の電極とし、他方の配線パッドに赤色発光素子７０の電極パッドから引き出した導体ワイヤを接続して他方側の電極とする基板である。２つの端子部７４は、それぞれ搭載小基板７２の一方側電極と他方側電極に接続される端子で、ＬＥＤ配置基板４６の配線パターンに接続される端子でもある。レンズ部７６は、赤色発光素子７０を保護する機能と、赤色発光素子７０からの発光を外部に放射するレンズの機能を有する。レンズ部７６は、透明樹脂を半球状に形成したものが用いられる。
【００３９】
白色発光ＬＥＤ５２は、赤色発光ＬＥＤ５０と同様の構造で、白色発光素子８０と、白色発光素子８０が搭載される搭載小基板８２と、搭載小基板８２に設けられる白色発光素子８０の２つの端子部８４と、白色発光素子８０の発光面に設けられるレンズ部８６を含んで構成される。赤色発光素子７０との相違点は、白色発光素子８０は、白色発光のための最適端子間電圧がＶWの発光ＬＥＤチップであることである。
【００４０】
赤色発光素子７０の赤色発光のために最適端子間電圧ＶRと、白色発光素子８０の白色発光のための最適端子間電圧がＶWの関係は、８個×ＶR＝６個×ＶWである。すなわち、ＶR：ＶW＝６：８＝３：４である。例えば、ＶW＝３Ｖとすると、ＶR＝２．２５Ｖである。
【００４１】
一般的に、Ｘ発光素子のＸ色発光のための最適端子間電圧をＶXとして、これをＮX個直列に接続してＸ色発光部とし、Ｙ色発光素子のＹ色発光のための最適端子間電圧をＶYとして、これをＮY個直列に接続してＹ色発光部とし、Ｘ色発光部とＹ色発光部とを並列に接続して、１つのＤＣ電源で駆動し発光させるには、ＶX：ＶY＝ＮY；ＮXの関係を満たすようにする。これは、ＤＣ電源の端子間電圧をＶDCとして、ＶDC＝ＮX×ＶX＝ＮY×ＶYの関係となるためである。
【００４２】
図４は、１つの赤色発光部１３と６つの白色発光部１５が、互いに並列接続されて１つの発光管２０を構成するときの回路構成図である。ここでは、電源アダプタ３０の正極母線に接続されるＬＥＤ配置基板４６の正極側母線である配線パターン６０と、電源アダプタ３０の負極母線に接続されるＬＥＤ配置基板４６の負極側母線である配線パターン６２との間に、１つの赤色発光部１３と６つの白色発光部１５が互いに並列接続される。赤色発光部１３は、８個の赤色発光ＬＥＤ５０が互いに直列接続されて構成される。各白色発光部１５は、６個の白色発光ＬＥＤ５２が互いに直列接続されて構成される。したがって、電源アダプタ３０の正極母線と負極母線の間の母線間電圧が１８Ｖであれば、１８Ｖ＝８×ＶR＝６×ＶWとなる。ここから、ＶR：ＶW＝６：８＝３：４である。すなわち、ＶW＝１８Ｖ／６＝３Ｖ、ＶR＝１８Ｖ／８＝２．２５Ｖとなる。
【００４３】
上記では、他の発光部の発光色と異なる発光色を有する発光部において正極側母線と負極側母線の間に配置されるＬＥＤの数は、他の発光部において正極側母線と負極側母線の間に配置されるＬＥＤの数と異なるものとして説明した。これに代えて、発光色の異なる発光部のそれぞれにおいて、直列接続されるＬＥＤの数を同じとして、発光のための最適端子間電圧が発光色によって異なることにより生じる各発光部の端子間電圧の差をダイオードの端子間電圧で補うものとしてもよい。
【００４４】
図３、図４に関連して説明した一般的な場合について述べると、Ｘ色発光素子のＸ色発光のための最適端子間電圧をＶXとして、これをＮ個直列に接続してＸ色発光部とし、Ｙ色発光素子のＹ色発光のための最適端子間電圧をＶYとして、これをＮ個直列に接続してＹ色発光部とし、Ｘ色発光部とＹ色発光部とを並列に接続すると、Ｘ色発光部においてＮ個のＸ色発光素子を直列接続したときの端子間電圧はＮ×ＶXであり、Ｙ色発光部においてＮ個のＹ色発光素子を直列接続したときの端子間電圧はＮ×ＶYである。したがって、Ｘ色発光部の端子間電圧とＹ色発光部の端子間電圧の間にはＮ×（ＶX−ＶY）の差がある。これを１つのＤＣ電源で駆動するには、Ｙ色発光部においてＮ個のＹ色発光素子を直列接続しさらにＮ×（ＶX−ＶY）の端子間電圧を有するダイオードを直列接続すればよい。なお、ダイオードがＬＥＤであると、図３、図４と同じ例となるので、ここでは、ＬＥＤ以外の非発光性のダイオードを用いる。好ましくは、電流立上り閾値電圧から急峻に電流値が立ち上げるツェナーダイオードを用いることがよい。
【００４５】
上記の例では、ＶW＝３Ｖ、ＶR＝２．２５Ｖであるので、Ｎ＝６とすると、Ｎ×（ＶW−ＶR）＝６×（３−２．２５）Ｖ＝６×０．７５＝４．５Ｖの端子間電圧を有するダイオードを６個の赤色発光ＬＥＤ５０と共に直列接続すればよい。
【００４６】
図５は、Ｎ＝６として、４つの赤色発光部１３と、４つの青色発光部１７とを互いに並列接続して１つのＤＣ電源で駆動し、発光させる例の回路構成図である。ここでは、各青色発光部１７は、６つの青色発光ＬＥＤ５４が、直列接続されて、ＬＥＤ配置基板４６の配線パターン６０と配線パターン６２の間に配置される。また、各赤色発光部１３においては、６つの赤色発光ＬＥＤ５０と、ツェナーダイオード５６と適当な抵抗値を有する抵抗素子とが、直列接続されて、ＬＥＤ配置基板４６の配線パターン６０と配線パターン６２の間に配置される。
【００４７】
青色発光ＬＥＤ５４の発光のための最適端子間電圧をＶBとすると、ツェナーダイオード５６の端子間電圧は、Ｎ×（ＶB−ＶR）に設定される。
【００４８】
図６は、図５の回路構成図に対応するＬＥＤ配置基板４６に赤色発光ＬＥＤ５０と、青色発光ＬＥＤ５４と、ツェナーダイオード５６と抵抗素子５８を搭載したときの状態を示す図である。ここでは、ここで、青色発光部１７には、図３（ａ）に示したのと同様な中間配線パターン６４が配置されるが、赤色発光部１３には、図３（ａ）に示したのと同様な中間配線パターン６４の他に、ツェナーダイオード５６と抵抗素子５８のための中間配線パターン６５が配置される。
【００４９】
なお、青色発光ＬＥＤ５４は、赤色発光ＬＥＤ５０や白色発光ＬＥＤ５２と同様の構造で、青色発光素子９０と、青色発光素子９０が搭載される搭載小基板９２と、搭載小基板９２に設けられる青色発光素子９０の２つの端子部９４と、青色発光素子９０の発光面に設けられるレンズ部９６を含んで構成される。赤色発光素子７０や白色発光素子８０との相違点は、青色発光素子９０は、青色発光のための最適端子間電圧がＶBの発光ＬＥＤチップであることである。
【符号の説明】
【００５０】
１０  ＬＥＤ照明灯、１２  筐体、１３  赤色発光部、１４  カバー、１５  白色発光部、１６  バックル、１７  青色発光部、１８  中板、２０  発光管、２１  段差、２２  ネジ穴付取付台、２４  コード支持部、２６  内部コンセント、２７  電源線、２８  外部コンセント、２９  外部電源、３０  電源アダプタ、３２，３４  発光管コンセント、４０  管部、４２，４４  差し込み端子、４６  ＬＥＤ配置基板、５０  赤色発光ＬＥＤ、５２  白色発光ＬＥＤ、５４  青色発光ＬＥＤ、５６  ツェナーダイオード、５８  抵抗素子、６０，６２  配線パターン、６４，６５  中間配線パターン、７０  赤色発光素子、７２，８２，９２  搭載小基板、７４，８４，９４  端子部、７６，８６，９６  レンズ部、８０  白色発光素子、９０  青色発光素子。
【図１】
0003186482.tif 000003
【図２】
0003186482.tif 000004
【図３】
0003186482.tif 000005
【図４】
0003186482.tif 000006
【図５】
0003186482.tif 000007
【図６】
0003186482.tif 000008